(57)【要約】【課題】立設枠体の内部に衣服や衣料品用のハンガーを掛架可能なハンガー掛部が配置され、立設枠体の前面部に開閉可能な覆部材が配置され、立設枠体の内部に衣服や衣料品を整理収納することができ、立設枠体内を外部から隠蔽することができ、室内のインテリヤ性を高めることができ、かつ、上記立設枠体に立設枠体内に収納可能であって立設枠体内から外部に引出可能な引出掛杆を備えた引出ハンガー掛部を配設してなるから、使用の融通性や利便性を高めることができる。【解決手段】立設枠体１の内部に衣服Ｗや衣料品Ｋ用のハンガーＨを掛架可能なハンガー掛部５を配置し、立設枠体の前面部に開閉可能な覆部材１０を配置してなり、立設枠体に立設枠体内に収納可能であって立設枠体内から外部に引出可能な引出掛杆１３を備えた引出ハンガー掛部１１を配設してなる。【選択図】図１
2009247398.tif 000002
【特許請求の範囲】
【請求項１】
立設枠体の内部に衣服や衣料品用のハンガーを掛架可能なハンガー掛部を配置し、立設枠体の前面部に開閉可能な覆部材を配置してなり、上記立設枠体に該立設枠体内に収納可能であって該立設枠体内から外部に引出可能な引出掛杆を備えた引出ハンガー掛部を配設してなることを特徴とするクローゼット。
【請求項２】
上記引出ハンガー掛部は、上記立設枠体に保持部を取付け、保持部に上記引出掛杆を引出自在に設けてなることを特徴とする請求項１記載のクローゼット。
【請求項３】
上記保持部は管材からなる外パイプで形成され、上記引出掛杆は該外パイプ内にスライド自在に嵌挿された管材からなる内パイプで形成されていることを特徴とする請求項１又は２記載のクローゼット。
【請求項４】
上記立設枠体は左右一対の側部材及び該側部材間に架設された天部材からなることを特徴とする請求項１〜３のいずれか１項に記載のクローゼット。
【請求項５】
上記立設枠体の横幅サイズを調節可能な伸縮機構を設けてなることを特徴とする請求項１〜４のいずれか１項に記載のクローゼット。
【請求項６】
上記覆部材は開閉自在なカーテンであることを特徴とする請求項１〜５のいずれか１項に記載のクローゼット。
【発明の詳細な説明】
【技術分野】
【０００１】
本発明は例えば室内の衣服用収納家具として用いられたり、押し入れや収納室に内装して用いられるクローゼットに関するものである。
【背景技術】
【０００２】
従来、この種のクローゼットとして、立設枠体の内部に衣服や衣料品用のハンガーを掛架可能なハンガー掛部を配置し、立設枠体の前面部に開閉可能な覆部材を配置してなる構造のものが知られている。
【特許文献１】特許第３８０９６３３号公報
【発明の開示】
【発明が解決しようとする課題】
【０００３】
しかしながら上記従来構造の場合、例えば外出時において、立設枠体内のハンガー掛部により収納されている複数の衣服やネクタイ、ベルトなどの衣料品の中から外出目的に応じて選択して取り出して着用する際において、立設枠体内の複数の衣服を選択しつつこれに合うネクタイやベルトなどの衣料品を探そうとするとき、一時的に立設枠体内から取り出した衣服やネクタイやベルトなどの衣料品を立設枠体の外部に掛けておくと非常に便利であり、また、一般的に立設枠体内は内部と外部との通気性が低下して高温多湿の保管に悪い雰囲気となり易く、このような状態の立設枠体内に雨等で濡れた状態の衣服や衣料品を収納したのでは、衣服からのいやな匂いの発生や虫食い現象が生ずることがあり、このため、乾くまでの一時的に立設枠体の外部に掛けておくことができれば非常に便利であるといえる。
【課題を解決するための手段】
【０００４】
本発明はこれらの不都合を解決することを目的とするもので、本発明のうちで、請求項１記載の発明にあっては、立設枠体の内部に衣服や衣料品用のハンガーを掛架可能なハンガー掛部を配置し、立設枠体の前面部に開閉可能な覆部材を配置してなり、上記立設枠体に該立設枠体内に収納可能であって該立設枠体内から外部に引出可能な引出掛杆を備えた引出ハンガー掛部を配設してなることを特徴とするクローゼットにある。
【０００５】
又、請求項２記載の発明は、上記引出ハンガー掛部は、上記立設枠体に保持部を取付け、保持部に上記引出掛杆を引出自在に設けてなることを特徴とするものであり、又、請求項３記載の発明は、上記保持部は管材からなる外パイプで形成され、上記引出掛杆は該外パイプ内にスライド自在に嵌挿された管材からなる内パイプで形成されていることを特徴とするものであり、又、請求項４記載の発明は、上記立設枠体は左右一対の側部材及び該側部材間に架設された天部材からなることを特徴とするものであり、又、請求項５記載の発明は、上記立設枠体の横幅サイズを調節可能な伸縮機構を設けてなることを特徴とするものであり、又、請求項６記載の発明は、上記覆部材は開閉自在なカーテンであることを特徴とするものである。
【発明の効果】
【０００６】
本発明は上述の如く、請求項１記載の発明にあっては、立設枠体の内部に衣服や衣料品用のハンガーを掛架可能なハンガー掛部が配置され、立設枠体の前面部に開閉可能な覆部材が配置され、立設枠体の内部に衣服や衣料品を整理収納することができ、立設枠体内を外部から隠蔽することができ、室内のインテリヤ性を高めることができ、かつ、上記立設枠体に立設枠体内に収納可能であって立設枠体内から外部に引出可能な引出掛杆を備えた引出ハンガー掛部を配設してなるから、例えば外出時において、立設枠体内に収納されている引出掛杆を立設枠体内から外部に引出し、立設枠体内に整理収納されている複数の衣服やネクタイやベルトなどの衣料品の中から外出目的に応じて選択して取り出して着用する際において、一時的に立設枠体内から取り出した衣服やネクタイやベルトなどの衣料品を立設枠体の外部に突出している引出掛杆に掛けておくことができ、立設枠体内の複数の衣服や衣料品の選択並びに衣服と衣料品との色合わせが容易となり、使用の融通性や利便性を高めることができる。
【０００７】
又、請求項２記載の発明にあっては、上記引出ハンガー掛部は、上記立設枠体に保持部を取付け、保持部に上記引出掛杆を引出自在に設けてなるから、上記引出ハンガー掛部の構造を簡素化することができ、又、請求項３記載の発明にあっては、上記保持部は管材からなる外パイプで形成され、上記引出掛杆は外パイプ内にスライド自在に嵌挿されたＵ状の管材からなる内パイプで形成されているから、外パイプと内パイプとのスライド嵌挿により引出掛杆を引出自在に構成することができ、上記引出ハンガー掛部の構造を簡素化することができ、又、請求項４記載の発明にあっては、上記立設枠体は左右一対の側部材及び側部材間に架設された天部材からなるので、立設枠体を安定的に起立設置することができ、又、請求項５記載の発明にあっては、上記立設枠体の横幅サイズを調節可能な伸縮機構を設けてなるから、衣服や衣料品の数量並びに設置スペースに対する設置の融通性を高めることができ、又、請求項６記載の発明にあっては、上記覆部材は開閉自在なカーテンであるから、立設枠体を容易に隠蔽することができ、室内のインテリヤ性を高めることができる。
【発明を実施するための最良の形態】
【０００８】
図１乃至図８は本発明の実施の形態例を示し、１は立設枠体であって、この場合、左右一対の側部材２・２の上部間に天部材３及び棚枠４を架設すると共に衣服Ｗや衣料品Ｋ用のハンガーＨを掛架可能なハンガー掛部５を配設し、このハンガー掛部５として、側部材２・２間に横架杆６を架設し、横架杆６に縦杆７を縦設し、縦杆７の下部にキャスタ８を設け、そして前面開口部９に開閉可能な覆部材１０を配設し、この場合、覆部材１０左右一組の布や合成樹脂製の可撓性のカーテン１０ａ・１０ａを配設して構成している。
【０００９】
１１は引出ハンガー掛部であって、この場合、上記立設枠体１の一方の側部材２の内面に保持部１２をビスＮにより取付け、保持部１２に引出掛杆１３を引出自在に設けてなり、この場合、上記保持部１２は管材からなる外パイプ１２ａで形成され、上記引出掛杆１３は外パイプ１２ａ内にスライド自在に嵌挿された管材からなる内パイプ１３ａで形成され、しかして、上記立設枠体１に立設枠体１内に収納可能であって立設枠体１内から外部に引出可能な引出掛杆１３を設けて構成している。
【００１０】
また、この場合、図３、図４の如く、上記立設枠体１の横幅サイズＢを調節可能な伸縮機構１４がを設けられ、この伸縮機構１４として、上記天部材３、棚枠４、ハンガー掛部５たる横架杆６をそれぞれ相互に二部材により分割して形成し、分割された部材を相互にスライド自在に設けて構成している。
【００１１】
この実施の形態例は上記構成であるから、図１の如く、立設枠体１の内部に衣服Ｗや衣料品Ｋ用のハンガーＨを掛架可能なハンガー掛部５が配置され、立設枠体１の前面部に開閉可能な覆部材１０が配置され、立設枠体１の内部に衣服Ｗや衣料品Ｋを整理収納することができ、立設枠体１内を外部から隠蔽することができ、室内のインテリヤ性を高めることができ、かつ、図７、如く、上記立設枠体１に立設枠体１内に収納可能であって、図８の如く、立設枠体１内から外部に引出可能な引出掛杆１３を備えた引出ハンガー掛部１１を配設してなるから、例えば外出時において、立設枠体１内に収納されている引出掛杆１３を立設枠体１内から外部に引出し、立設枠体１内に整理収納されている複数の衣服Ｗやネクタイやベルトなどの衣料品Ｋの中から外出目的に応じて選択して取り出して着用する際において、一時的に立設枠体１内から取り出した衣服やネクタイやベルトなどの衣料品Ｋを立設枠体１の外部に突出している引出掛杆１３に掛けておくことができ、立設枠体１内の複数の衣服Ｗや衣料品Ｋの選択並びに衣服Ｗと衣料品Ｋとの色合わせなどが容易となり、使用の融通性や利便性を高めることができ、又、衣服や衣料品が雨等で濡れた場合、引出ハンガー掛部１１の引出掛杆１３を立設枠体１内から外部に引出し、衣服Ｗや衣料品Ｋ一時的に立設枠体１の外部に掛けておくことができ、立設枠体内の内部と外部との通気性の低下並びに高温多湿の保管に悪い雰囲気となることによる衣服Ｗや衣料品Ｋのいやな匂いの発生や虫食い現象を防ぐことができ、一層使用の利便性を高めることができる。
【００１２】
この場合、上記引出ハンガー掛部１１は、上記立設枠体１に保持部１２を取付け、保持部１２に上記引出掛杆１３を引出自在に設けてなるから、上記引出ハンガー掛部１１の構造を簡素化することができ、又、この場合、上記保持部１２は管材からなる外パイプ１２ａで形成され、上記引出掛杆１３は外パイプ１２ａ内にスライド自在に嵌挿されたＵ状の管材からなる内パイプ１３ａで形成されているから、外パイプ１２ａと内パイプ１３ａとのスライド嵌挿により引出掛杆１３を引出自在に構成することができ、上記引出ハンガー掛部１１の構造を簡素化することができ、又、この場合、上記立設枠体１は左右一対の側部材２・２及び側部材２・２間に架設された天部材３からなるので、立設枠体１を安定的に起立設置することができ、又、この場合、上記立設枠体１の横幅サイズＢを調節可能な伸縮機構を設けてなるから、図３から図４、又は、図４から図３の如く、立設枠体１の横幅サイズを調節することができ、衣服Ｗや衣料品Ｋの数量並びに設置スペースに対する設置の融通性を高めることができ、又、この場合、上記覆部材１０は開閉自在なカーテン１０ａ・１０ａであるから、立設枠体１を容易に隠蔽することができ、室内のインテリヤ性を高めることができる。
【００１３】
尚、本発明は上記実施の形態例に限られるものではなく、例えば、立設枠体１やハンガー掛部５、覆部材１０、引出ハンガー掛部１１の構造や形態、数は適宜設計して変更される。
【００１４】
以上、所期の目的を充分達成することができる。
【図面の簡単な説明】
【００１５】
【図１】本発明の実施の形態例の全体斜視図である。
【図２】本発明の実施の形態例の内側面図である。
【図３】本発明の実施の形態例の横断面図である。
【図４】本発明の実施の形態例の正断面図である。
【図５】本発明の実施の形態例の部分拡大横断面図である。
【図６】本発明の実施の形態例の内側面図である。
【図７】本発明の実施の形態例の使用状態図である。
【図８】本発明の実施の形態例の使用状態図である。
【符号の説明】
【００１６】
Ｗ    衣服
Ｋ    衣料品
Ｈ    ハンガー
１    立設枠体
２    側部材
３    天部材
５    ハンガー掛部
９    前面開口部
１０    覆部材
１０ａ    カーテン
１１    引出ハンガー掛部
１２    保持部
１２ａ    外パイプ
１３    引出掛杆
１３ａ    内パイプ
１４    伸縮機構
【図１】
2009247398.tif 000003
【図２】
2009247398.tif 000004
【図３】
2009247398.tif 000005
【図４】
2009247398.tif 000006
【図５】
2009247398.tif 000007
【図６】
2009247398.tif 000008
【図７】
2009247398.tif 000009
【図８】
2009247398.tif 000010